(57)【要約】【課題】化粧皿の側面に凹部等を形成することなく、化粧皿収容凹部に化粧皿を保持，固定することのできる化粧料容器を提供する。【解決手段】上面に化粧皿収容凹部１ａが形成された容器本体１と、上記容器本体１を蓋する蓋体と、上記容器本体１の化粧皿収容凹部１ａに収容される化粧皿３とを備えている。そして、上記容器本体１の化粧皿収容凹部１ａの周壁面に、内向きに開放する小凹部１１を形成し、この小凹部１１に係止部材１３を、一端の上面押さえ板部１５が上記化粧皿収容凹部１ａの開放部側に位置し、かつ連結部１６が中心となって回動するように設け、上記係止部材１３を回動させその上面押さえ板部１５で化粧皿３の外周縁部を係止した状態で互いに係合しあう係合凹部１２および係合凸部１７の一方を上記係止部材１３に設け、他方を上記小凹部１１に設けるようにしている。【選択図】図３
2005270576.tif 000002
【特許請求の範囲】
【請求項１】
上面に化粧皿収容凹部が形成された容器本体と、上記容器本体を蓋する蓋体と、上記容器本体の化粧皿収容凹部に収容される化粧皿とを備え、上記容器本体の化粧皿収容凹部の周壁面に、内向きに開放する係止部材配設用凹部を形成し、この係止部材配設用凹部に係止部材を、一端の係止爪部が上記凹部の開放部側に位置し、かつ他端側が中心となって回動するように設け、上記係止部材を回動させその係止爪部で化粧皿の外周縁部を係止した状態で互いに係合しあう係合部および被係合部の一方を上記係止部材に設け、他方を上記係止部材配設用凹部に設けたことを特徴とする化粧料容器。
【請求項２】
上記係止部材の他端部に押し上げ部を形成し、上記係合を外して係止部材を回動させることにより、上記押し上げ部を上方に回動させてこの押し上げ部で化粧皿を下方から押し上げるように構成した請求項１記載の化粧料容器。
【請求項３】
上記容器本体に、蓋体を開蓋するフックピースを設け、このフックピースを操作することにより、上記係合を外すように構成した請求項１または２記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯するコンパクトとして、図１８に示すようなものが出回っている。このコンパクトは、上面にパフ収容凹部４２と化粧皿収容凹部４３とが前後に形成された容器本体４１と、この容器本体４１の上面を蓋する蓋体４４とを備えており、上記容器本体４１の後端部に設けた凹部４１ａに蓋体４４の後端部４４ａをヒンジ連結している。また、上記化粧皿収容凹部４３には、その左右両側面に左右一対の凹部４３ａ（図１９参照。この図１９では、一方の凹部４３ａしか図示せず）が相対向する状態で形成されており、これら両凹部４３ａの底面から弾性板４５が立設されているとともに、これら両弾性板４５の上端部に凸部４５ａが突設されている。また、上記化粧皿収容凹部４３には、その後側面に突条（図示せず）が形成されている。そして、上記化粧皿収容凹部４３内に化粧皿４６を収容した状態では、上記両弾性板４５の凸部４５ａに、化粧皿４６の左右両側面に形成された左右一対の凹部４６ａ（図２０参照）。この図２０では、一方の凹部４６ａしか図示せず）が着脱自在に係合し、上記突条に、化粧皿４６の後側面に形成された凹部（図示せず）が着脱自在に係合している（例えば、特許文献１参照）。図１８において、４８は上記パフ収容凹部４２に収容されたパフで、４９は開蓋用のフックピースである。
【特許文献１】実開平６−７９４１８号公報
【発明の開示】
【発明が解決しようとする課題】
【０００３】
しかしながら、上記のコンパクトでは、化粧皿４６の左右両側面および後側面に凹部４６ａが形成されているため、化粧皿４６の落下強度が低下する。しかも、化粧皿４６の成形金型として、上記凹部４６ａを形成することができる特殊な成形金型を使用しなければならず、その分成形金型が高価になり、コンパクトのコストが上がる。そこで、化粧皿４６の左右両側面や後側面に凹部４６ａ等を形成することなく、化粧皿収容凹部４３に化粧皿４６を保持，固定することのできる化粧料容器の提供が強く要望されている。
【０００４】
本発明は、このような事情に鑑みなされたもので、化粧皿の側面に凹部等を形成することなく、化粧皿収容凹部に化粧皿を保持，固定することのできる化粧料容器の提供をその目的とする。
【課題を解決するための手段】
【０００５】
上記の目的を達成するため、本発明の化粧料容器は、上面に化粧皿収容凹部が形成された容器本体と、上記容器本体を蓋する蓋体と、上記容器本体の化粧皿収容凹部に収容される化粧皿とを備え、上記容器本体の化粧皿収容凹部の周壁面に、内向きに開放する係止部材配設用凹部を形成し、この係止部材配設用凹部に係止部材を、一端の係止爪部が上記凹部の開放部側に位置し、かつ他端側が中心となって回動するように設け、上記係止部材を回動させその係止爪部で化粧皿の外周縁部を係止した状態で互いに係合しあう係合部および被係合部の一方を上記係止部材に設け、他方を上記係止部材配設用凹部に設けたという構成をとる。
【発明の効果】
【０００６】
すなわち、本発明の化粧料容器は、容器本体の化粧皿収容凹部の周壁面に、内向きに開放する係止部材配設用凹部を形成し、この係止部材配設用凹部に係止部材を、一端の係止爪部が上記凹部の開放部側に位置し、かつ他端側が中心となって回動するように設けるようにしている。そして、上記係止部材を回動させその係止爪部で化粧皿の外周縁部を係止した状態で互いに係合しあう係合部および被係合部の一方を上記係止部材に設け、他方を上記係止部材配設用凹部に設けるようにしている。したがって、容器本体の化粧皿収容凹部に化粧皿を収容した状態で、係止部材をその他端側を中心に回動させて上記係合部と被係合部とを係合させることにより、係止部材の一端に設けた係止爪部で化粧皿の外周縁部を係止し、化粧皿収容凹部に化粧皿を保持，固定することができる。このため、化粧皿の側面に係合用の凹部等を形成する必要がなくなり、化粧皿の落下強度が向上し、しかも、化粧皿の成形金型として特殊な成形金型を使用しなくてよく、その分成形金型が安価になり、コンパクトのコストが下がる。
【０００７】
上記係止部材の他端部に押し上げ部を形成し、上記係合を外して係止部材を回動させることにより、上記押し上げ部を上方に回動させてこの押し上げ部で化粧皿を下方から押し上げるように構成すると、上記係合を外して係止部材を回動させる際に、同時に化粧皿を下方から押し上げることができる。
【０００８】
また、上記容器本体に、蓋体を開蓋するフックピースを設け、このフックピースを操作することにより、上記係合を外すように構成すると、フックピースの操作に伴い、上記係合を外すことができる。
【発明を実施するための最良の形態】
【０００９】
つぎに、本発明の実施の形態を図面にもとづいて詳しく説明する。
【００１０】
図１は本発明の化粧料容器の一実施の形態を示している。図において、１は上面に化粧皿収容凹部１ａおよびパフ収容凹部１ｂが形成された合成樹脂製の容器本体（図２参照）で、２は上記容器本体１の上面を蓋する合成樹脂製の蓋体で、３は上記容器本体１の化粧皿収容凹部１ａの底面上に載置，固定される金属製もしくは合成樹脂製の化粧皿であり、その内部に化粧料３ａが収容されている。この化粧皿３には、その外周壁面に係合用凹部等は形成されていない。図１において、５は上記蓋体２の裏面に固定された鏡で、６は上記容器本体１の化粧皿収容凹部１ａの底壁に穿設された貫通孔であり、化粧皿収容凹部１ａから化粧皿３を取り外す際に利用される。
【００１１】
上記容器本体１の化粧皿収容凹部１ａには、図３に示すように、その一側壁（この実施の形態では、前側壁）の周壁面上端部に、内面および上面が開放された小凹部（係止部材配設用凹部）１１が形成されており、この小凹部１１の相対向する両側面１１ａ（この実施の形態では、左右両側面）に、後述する係止部材１３の係合凸部（被係合部）１７に着脱自在に係合する係合凹部（係合部）１２が形成されている（図４および図５参照）。また、上記小凹部１１の奥壁の上端縁部（すなわち、上記小凹部１１の奥壁面に対応する上記容器本体１の上面の部分）から係止部材１３が上記化粧皿収容凹部１ａの前側壁に直交する方向に回動自在に延設されている。この係止部材１３は、上記小凹部１１内に収容しうる大きさに形成された略直方体形状の側面押さえ部１４と、（上記小凹部１１内に収容した状態の）側面押さえ部１４の上端部内面から化粧皿収容凹部１ａ内に水平に延びる平板状の上面押さえ板部（係止爪部）１５と、上記側面押さえ部１４を上記小凹部１１の奥壁の上端縁部に回動自在に連結する連結部１６とからなり（図３参照）、上記側面押さえ部１４の相対向する両側面１４ａ（この実施の形態では、左右両側面であり、上記小凹部１１の両側面１１ａに対面する側面）に、上記小凹部１１の係合凹部１２に着脱自在に係合する係合凸部１７が形成されている。
【００１２】
一方、上記容器本体１の上面には、その化粧皿収容凹部１ａの他側壁（この実施の形態では、後側壁）の近傍に、上記係止部材１３に相対向するようにして、平板状の押さえ部１８が一体形成されており、その内側部分が上記化粧皿収容凹部１ａ内に水平に延びている。また、上記容器本体１には、図２に示すように、その前端部に前側凹部１９が形成されており、この前側凹部１９の奥壁面に設けた係合凸部１９ａに、上記蓋体２の前端部に形成された係合爪部（図示せず）が着脱自在に係合している。また、上記容器本体１には、その後端部に後側凹部２０が形成されており、この後側凹部２０に、上記蓋体２の後端部から垂下する連結部２１がヒンジ軸２１ａを介してヒンジ連結されている（図１参照）。図２において、７は上記容器本体１の前側凹部１９に配設された開蓋用のフックピースであり、図３および図４において、８は上記容器本体１の化粧皿収容凹部１ａの底面に突出形成された複数条のがたつき防止用リブ（図１では、図示せず）である。
【００１３】
上記の構成において、容器本体１の化粧皿収容凹部１ａに化粧皿３を収容，固定する場合には、まず、上記係止部材１３をその連結部１６を中心に上方に回動させて起立状態等にし（図４参照）、ついで、容器本体１の化粧皿収容凹部１ａ上に化粧皿３を配置し、この化粧皿３を傾斜させながら、化粧皿３の後端部を上記化粧皿収容凹部１ａの押さえ部１８の下側にもぐり込ませて化粧皿３を化粧皿収容凹部１ａ上に載置したのち、上記係止部材１３をその連結部１６を中心に下方に回動させてその側面押さえ部１４を小凹部１１内に収容し、この小凹部１１の両側面１１ａの係合凹部１２に上記側面押さえ部１４の両側面１４ａの係合凸部１７を着脱自在に係合させる（図５参照）ことを行う。この状態では、上記係止部材１３の側面押さえ部１４の内面が化粧皿３の外周壁面上端部に当接して、これを後方に押圧するとともに、上記係止部材１３の上面押さえ板部１５の下面が化粧皿３の周側壁上端面に当接して、これを下方に押圧し、これにより、上記容器本体１の化粧皿収容凹部１ａに化粧皿３が収容，固定されている。
【００１４】
また、上記容器本体１の化粧皿収容凹部１ａから化粧皿３を取り出す場合には、上記容器本体１の化粧皿収容凹部１ａの底壁の貫通孔６に棒等（図示せず）を挿通し、この棒等の上端部で化粧皿３の底壁を下から押し上げる。これにより、上記小凹部１１の両係合凹部１２と上記側面押さえ部１４の両係合凸部１７との係合が外れる。また、上記化粧皿３の押し上げに伴い、上記係止部材１３が上方に回動するため、上記押し上げがスムーズに行われる。そして、上記押し上げられた化粧皿３を手指で持ち上げて化粧皿収容凹部１ａから取り出すことを行う。
【００１５】
このように、上記実施の形態では、容器本体１の化粧皿収容凹部１ａの小凹部１１に設けた係止部材１３により、容器本体１の化粧皿収容凹部１ａに化粧皿３を保持，固定することができるため、化粧皿３の外周壁面に係合用の凹部等を形成する必要がなく、化粧皿３の落下強度が向上する。しかも、化粧皿３の成形金型として、特殊な成形金型を使用する必要がなく、その分成形金型が安価になり、コンパクトのコストが下がる。
【００１６】
図６は本発明の化粧料容器の他の実施の形態を示している。この実施の形態では、容器本体１の化粧皿収容凹部１ａの一側壁（この実施の形態では、左側壁）およびこれに続く底壁の部分に、これらを貫通状に切り欠き形成してなる切り欠き凹部（係止部材配設用凹部）２４が設けられており、この切り欠き凹部２４に係止部材２５が上記化粧皿収容凹部１ａの左側壁に直交する方向に回動自在に固定されている（図７〜図９参照）。また、上記切り欠き凹部２４には、その相対向する両側面２４ａ（この実施の形態では、前後両側面）に、後述する係止部材２５の係合凸部３０ａ，３０ｂに係合する上下一対の係合凹部２６ａ，２６ｂが形成されている（図１０および図１１参照）。図６において、９はパフである。
【００１７】
上記係止部材２５は、上記切り欠き凹部２４内に略収容しうる大きさに形成されており、略直方体形状に形成された側面押さえ部２７と、（上記切り欠き凹部２４内に収容した状態の）側面押さえ部２７の上端部内面から化粧皿収容凹部１ａ内に水平に延びる平板状の上面押さえ板部（係止爪部）２８と、上記側面押さえ部２７の下端部内面から化粧皿３の底壁に沿って（すなわち、化粧皿収容凹部１ａの底壁に沿って）延びる平板状の押し上げ部２９とからなり、上記側面押さえ部２７の相対向する両側面２７ａ（この実施の形態では、前後両側面であり、上記切り欠き凹部２４の両側面２４ａに対面する側面）に、上記切り欠き凹部２４の下側係合凹部２６ａに回動自在に連結する回動連結用凸部３０ａと、上記切り欠き凹部２４の上側係合凹部（係合部）２６ｂに着脱自在に係合する係合凸部（被係合部）３０ｂとが形成されている。
【００１８】
一方、上記容器本体１の上面には、その化粧皿収容凹部１ａの他側壁（この実施の形態では、右側壁であって、化粧皿収容凹部１ａとパフ収容凹部１ｂとの仕切り壁）の近傍に、上記係止部材２５に相対向するようにして、平板状の押さえ部１８が一体形成されており、その内側部分が上記化粧皿収容凹部１ａ内に水平に延びている。それ以外の部分は上記実施の形態と同様であり、同様の部分には同じ符号を付している。この実施の形態でも、上記実施の形態と同様の作用・効果を奏する。
【００１９】
上記の構成において、容器本体１の化粧皿収容凹部１ａに化粧皿３を収容，固定する場合には、まず、上記係止部材２５をその回動連結用凸部３０ａを中心に回動させて上記係止部材２５の上面押さえ板部２８を外側に移動させ（図９参照）、ついで、容器本体１の化粧皿収容凹部１ａ上に化粧皿３を配置し、この化粧皿３を傾斜させながら、化粧皿３の右端部を上記化粧皿収容凹部１ａの押さえ部１８の下側にもぐり込ませて化粧皿３を化粧皿収容凹部１ａ上に載置したのち、上記係止部材２５をその回動連結用凸部３０ａを中心に回動させて切り欠き凹部２４内に収容し、この切り欠き凹部２４の両側面２４ａの上側係合凹部２６ｂに上記側面押さえ部１４の両側面２７ａの係合凸部３０ｂを着脱自在に係合させる（図１１参照）ことを行う。この状態では、上記係止部材２５の側面押さえ部２７の内面が化粧皿３の外周壁面に当接して、これを右方に押圧するとともに、上記係止部材２５の上面押さえ板部２８の下面が化粧皿３の周側壁上端面に当接して、これを下方に押圧し、これにより、上記容器本体１の化粧皿収容凹部１ａに化粧皿３が収容，固定されている。
【００２０】
また、上記容器本体１の化粧皿収容凹部１ａから化粧皿３を取り出す場合には、上記係止部材２５の上面押さえ板部２８を外側に押して（図８の矢印参照）上記係止部材２５を外側に回動させる。これにより、上記両上側係合凹部２６ｂと両係合凸部３０ｂとの係合が外れ、上記係止部材２５の回動に伴い、その押し上げ部２９が上方に回動し、化粧皿３を押し上げる。そして、上記押し上げられた化粧皿３を手指で持ち上げて化粧皿収容凹部１ａから取り出すことを行う。
【００２１】
図１２は本発明の化粧料容器のさらに他の実施の形態を示している。この実施の形態では、容器本体１（図１３参照）の化粧皿収容凹部１ａの一側壁（この実施の形態では、前側壁）の、前側凹部１９に対応する部分に、これを貫通状に切り欠き形成してなる切り欠き凹部（係止部材配設用凹部）３３が設けられており、この切り欠き凹部３３に係止部材３４が上記化粧皿収容凹部１ａの前側壁に直交する方向に回動自在に固定されている（図１４および図１５参照）。また、上記切り欠き凹部３３には、その相対向する両側面３３ａ（この実施の形態では、左右両側面）に、後述する係止部材３４の係合凸部３９ａ，３９ｂに係合する上下一対の係合凹部３５ａ，３５ｂが形成されている（図１６および図１７参照）。
【００２２】
上記係止部材３４は、上記切り欠き凹部３３内に略収容しうる大きさに形成されており、略直方体形状に形成された側面押さえ部３６と、（上記切り欠き凹部３３内に収容した状態の）側面押さえ部３６の上端部内面から化粧皿収容凹部１ａ内に水平に延びる平板状の上面押さえ板部（係止爪部）３７と、上記側面押さえ部３６の下端部外面から外側（すなわち、前方）に延びる平板状の押圧部３８とからなり、上記側面押さえ部３６の相対向する両側面３６ａ（この実施の形態では、左右両側面であり、上記切り欠き凹部３３の両側面３３ａに対面する側面）に、上記切り欠き凹部３３の上側係合凹部３５ａに回動自在に連結する回動連結用凸部３９ａと、上記切り欠き凹部３３の下側係合凹部（係合部）３５ｂに着脱自在に係合する係合凸部（被係合部）３９ｂとが形成されている。
【００２３】
一方、上記容器本体１の化粧皿収容凹部１ａの前側凹部１９には、その奥壁面とフックピース７との間に左右一対のばね材９（図１３参照。図１２，図１４〜図１６では、図示せず）が配設されており、上記ばね材９によりフックピース７が上記化粧皿収容凹部１ａ内で前後方向に進退自在に配設されている。また、上記フックピース７は、断面形状略コ字状に形成されており、その下側板７ａの前端部の、上記係止部材３４の押圧部３８に対応する部分に、押圧用突起７ｂが突設されている。図１３〜図１６において、７ｄは上記フックピース７の上側板７ｃの前端部の、上記押圧用突起７ｂに対応する部分に形成された凹部である。それ以外の部分は図１〜図５に示す実施の形態と同様であり、同様の部分には同じ符号を付している。この実施の形態でも、図１〜図５に示す実施の形態と同様の作用・効果を奏する。
【００２４】
上記の構成において、容器本体１の化粧皿収容凹部１ａに化粧皿３を収容，固定する場合には、まず、上記係止部材３４をその回動連結用凸部３９ａを中心に回動させて上記係止部材３４の側面押さえ部３６を外側に移動させ（図１５参照）、ついで、容器本体１の化粧皿収容凹部１ａ上に化粧皿３を配置し、この化粧皿３を傾斜させながら、化粧皿３の後端部を上記化粧皿収容凹部１ａの押さえ部１８の下側にもぐり込ませて化粧皿３を化粧皿収容凹部１ａ上に載置したのち、上記係止部材３４をその回動連結用凸部３９ａを中心に回動させて切り欠き凹部３３内に収容し、この切り欠き凹部３３の両側面３３ａの下側係合凹部３５ｂに上記側面押さえ部３６の両側面３６ａの係合凸部３９ｂを着脱自在に係合させる（図１７参照）ことを行う。この状態では、上記係止部材３４の側面押さえ部３６の内面が化粧皿３の外周壁面に当接して、これを後方に押圧するとともに、上記係止部材３４の上面押さえ板部３７の下面が化粧皿３の周側壁上端面に当接して、これを下方に押圧し（図１４参照）、これにより、上記容器本体１の化粧皿収容凹部１ａに化粧皿３が収容，固定されている。
【００２５】
また、上記容器本体１の化粧皿収容凹部１ａから化粧皿３を取り出す場合には、上記フックピース７をばね材９の弾性力に抗して後方に押圧し、蓋体２を開蓋状態にしたのち、さらにフックピース７をばね材９の弾性力に抗して後方に押圧し、フックピース７の押圧用突起７ｂで係止部材３４の押圧部３８を後方に押して係止部材３４を回動させる。この回動により、上記両下側係合凹部３５ｂと両係合凸部３９ｂとの係合が外れる。その状態で、上記容器本体１の化粧皿収容凹部１ａの底壁の貫通孔６に棒等を挿通し、この棒等の上端部で化粧皿３の底壁を下から押し上げ、上記押し上げられた化粧皿３を手指で持ち上げて化粧皿収容凹部１ａから取り出すことを行う。
【００２６】
なお、上記各実施の形態では、係合部として、係合凹部１２，２６ｂ，３５ｂを設けているが、凸部, 凹部等の各種の係合部を設けることができる。また、被係合部として、係合凸部１７，３０ｂ，３９ｂを設けているが、凸部, 凹部等の各種の被係合部を設けることができる。
【図面の簡単な説明】
【００２７】
【図１】本発明の化粧料容器の一実施の形態を示す断面図である。
【図２】容器本体の平面図である。
【図３】上記容器本体の要部の断面図である。
【図４】上記容器本体の作用を示す断面図である。
【図５】上記容器本体の要部の断面図である。
【図６】本発明の化粧料容器の他の実施の形態を示す断面図である。
【図７】容器本体の平面図である。
【図８】上記容器本体の要部の断面図である。
【図９】上記容器本体の作用を示す断面図である。
【図１０】上記容器本体の要部の断面図である。
【図１１】上記容器本体の要部の断面図である。
【図１２】本発明の化粧料容器のさらに他の実施の形態を示す断面図である。
【図１３】容器本体の平面図である。
【図１４】上記容器本体の要部の断面図である。
【図１５】上記容器本体の作用を示す断面図である。
【図１６】上記容器本体の要部の断面図である。
【図１７】上記容器本体の要部の断面図である。
【図１８】従来例を示す斜視図である。
【図１９】従来例の要部を示す斜視図である。
【図２０】化粧皿の斜視図である。
【符号の説明】
【００２８】
１  容器本体
１ａ  化粧皿収容凹部
３  化粧皿
１１  小凹部
１２  係合凹部
１３  係止部材
１５  上面押さえ板部
１６  連結部
１７  係合凸部
【図１】
2005270576.tif 000003
【図２】
2005270576.tif 000004
【図３】
2005270576.tif 000005
【図４】
2005270576.tif 000006
【図５】
2005270576.tif 000007
【図６】
2005270576.tif 000008
【図７】
2005270576.tif 000009
【図８】
2005270576.tif 000010
【図９】
2005270576.tif 000011
【図１０】
2005270576.tif 000012
【図１１】
2005270576.tif 000013
【図１２】
2005270576.tif 000014
【図１３】
2005270576.tif 000015
【図１４】
2005270576.tif 000016
【図１５】
2005270576.tif 000017
【図１６】
2005270576.tif 000018
【図１７】
2005270576.tif 000019
【図１８】
2005270576.tif 000020
【図１９】
2005270576.tif 000021
【図２０】
2005270576.tif 000022